(57)【特許請求の範囲】
【請求項１】
レンズ側に対してヒンジにより開閉可能に構成されたテンプル部と、
前記テンプル部に形成された受け穴と、
前記ヒンジに形成され、当該ヒンジから前記テンプル部へと延びて前記受け穴に挿入さ
れる突出部と、
を備えたメガネフレームにおいて、
前記ヒンジ及び前記テンプル部よりも柔軟性がある材料からなり、前記受け穴に挿入さ
れる保持部材を更に備え、
前記突出部は、前記保持部材とともに前記受け穴に挿入された状態で、当該受け穴に取
り外し可能に保持されるようにした、メガネフレーム。
【請求項２】
前記突出部は、前記保持部材なしで前記受け穴に挿入された場合、自由状態で前記受け
穴から抜け落ちる一方、前記保持部材とともに前記受け穴に挿入された場合、自由状態で
前記受け穴から抜け落ちることを阻止される、請求項１に記載のメガネフレーム。
【請求項３】
前記突出部は、棒状からなり、且つ、前記保持部材は、筒状からなり、
前記保持部材は、前記突出部を内部に装着されて径方向に拡がることで、前記受け穴の
内壁に密着するように形成されている、請求項２に記載のメガネフレーム。
【請求項４】
前記ヒンジに形成された係合部と前記受け穴に形成された係合受け部とからなる回止め
手段を備え、
前記回止め手段は、連結状態において当該係合部を当該係合受け部に係合させることで
前記ヒンジに対する前記テンプル部の回転を阻止する、請求項３に記載のメガネフレーム
。
【請求項５】
前記テンプル部の素材は、鼈甲、木、竹、動物の角又はアセテートである、請求項１な
いし４のいずれか一項に記載のメガネフレーム。
【請求項６】
レンズ側のフロント部にテンプル部を連結手段により連結したメガネフレームであって
、
前記連結手段は、
前記フロント部及び前記テンプル部の一方に形成された受け穴と、
前記フロント部及び前記テンプル部の他方にあり、前記受け穴に挿入される突出部と、
前記フロント部及び前記テンプル部よりも柔軟性がある材料からなり、前記受け穴に挿
入される保持部材と、を有し、
前記突出部は、前記保持部材とともに前記受け穴に挿入された状態で、当該受け穴に取
り外し可能に保持される、メガネフレーム。
【請求項７】
請求項１ないし６のいずれか一項に記載のメガネフレームを備えた、眼鏡。
【発明の詳細な説明】
【技術分野】
【０００１】
本発明は、レンズ側に対してテンプル部が連結されたメガネフレーム及び眼鏡に関するものである。
【背景技術】
【０００２】
現在、様々なメガネフレームが市販されているが、その中で例えば特許文献１に記載のものが知られている。このメガネフレームは、それぞれがプラスチックからなるフロント部とテンプル部とを、金属製のヒンジで連結したものである。この場合、フロント部にヒンジを固定し、ヒンジから延びる棒状部分をテンプル部の受け穴に挿入し、この状態で、両者をネジ等で固定している。
【０００３】
一方で、市販されている眼鏡の多くは、プラスチック製のメガネフレームに金属製のヒンジを連結する場合、通常、テンプル部に比較的浅い受け穴を形成し、これにヒンジ側の棒状部分を挿入してから、両者を接着剤で固定している。
【特許文献１】特表平９−５０４８８０号公報
【発明の開示】
【発明が解決しようとする課題】
【０００４】
ところで、メガネフレームの素材として、動物のツノや鼈甲などを用いたものもある。このような素材でテンプル部をつくった場合、特許文献１に記載の連結方法では、装着者の歩行動作等に伴い、受け穴の壁面にヒンジの棒状部分が繰り返し接触される。この接触により、受け穴の壁面が磨耗するため、経時的に眼鏡の装着感を損なうおそれがある。
【０００５】
一方で、接着剤を用いた固定方法を採用すれば、鼈甲製等のテンプル部での磨耗を防ぐことはできる。しかし、接着剤を用いているので、テンプル部が破損等した場合にテンプル部のみを交換することができなくなる。
【０００６】
そこで、交換性を重視して接着剤の使用をやめることも考えられるが、この場合には、比較的浅い受け穴ではヒンジが抜け落ち易くなるので、受け穴の深さを大きくする必要がある。しかし、動物のツノや鼈甲といった素材の場合、プラスチックに比べて加工時に割れ易いため、受け穴を深く穿設することが困難である上、上記した磨耗の問題も依然として残ることになる。また、このような問題は、メガネフレームの場合のみならず、鼈甲製等の部材を連結することでアクセサリーを製造するような場合にも生じると考えられる。
【０００７】
本発明は、以上のような問題に鑑みてなされたものであり、その目的とするメガネフレーム及び眼鏡は、鼈甲等の素材をフレーム素材として用いた場合であっても、その加工性及び交換性を向上することができ、しかも磨耗を抑制することができるものである。
【課題を解決するための手段】
【０００８】
上記目的を達成する本発明のメガネフレームは、レンズ側に対してヒンジにより開閉可能に構成されたテンプル部と、テンプル部に形成された受け穴と、ヒンジに形成されて当該ヒンジからテンプル部へと延びて受け穴に挿入される突出部と、を備えたものにおいて、さらに、ヒンジ及びテンプル部よりも柔軟性がある材料からなる保持部材を備え、突出部が、保持部材とともに受け穴に挿入された状態で受け穴に取り外し可能に保持されるようにしたものである。
【０００９】
本発明によれば、突出部を受け穴から取り外すことで、ヒンジに対してテンプル部を別体として取り扱うことができるので、テンプル部の交換性を向上することができる。また、挿入状態では、保持部材が受け穴の壁面及び突出部に対してクッションのように接触し得るので、これらの磨耗を抑制することができる。加えて、連結状態では突出部が受け穴に保持されるので、受け穴の深さを比較的大きくしなくて済む。これにより、テンプル部の素材として鼈甲等を用いた場合であっても、受け穴の加工性を損なわずに済む。
【００１０】
好ましくは、突出部は、保持部材なしで受け穴に挿入された場合には、自由状態で受け穴から抜け落ちる一方、保持部材とともに受け穴に挿入された場合には、自由状態で前記受け穴から抜け落ちることを阻止されるとよい。
【００１１】
この構成によれば、保持部材の柔軟性を利用することで、ビスやネジ等の固定部品を別途用いなくとも、自由状態での突出部の抜け落ちを阻止することができる。
【００１２】
より好ましくは、突出部は、棒状からなり、且つ、保持部材は、筒状からなり、しかも、突出部を内部に装着されて径方向に拡がることで、受け穴の内壁に密着するとよい。
【００１３】
こうすることで、簡易な構成により、自由状態での突出部の抜け落ちを阻止できる。一方で、突出部は自由状態でかかる力よりも大きい力で引き抜くことで、この引き抜き力により柔軟性の保持部材が変形し、突出部を受け穴から抜き出すことができる。
【００１４】
より好ましくは、本発明のメガネフレームは、ヒンジに形成された係合部と受け穴に形成された係合受け部とからなる回止め手段を備え、回止め手段は、連結状態において係合部を係合受け部に係合させることでヒンジに対するテンプル部の回転を阻止するとよい。
【００１５】
この構成によれば、連結状態のテンプル部はヒンジに回止め状態となるので、連結状態のテンプル部の安定性（ガタツキ防止）を向上することができる。
【００１６】
好ましくは、テンプル部の素材は、鼈甲、木、竹、動物の角又はアセテートであるとよい。
【００１７】
このような素材であっても、加工性を損なわずに受け穴を形成することができる。
【００１８】
上記目的を達成する本発明の別のメガネフレームは、レンズ側のフロント部にテンプル部を連結手段により連結したものにおいて、連結手段は、フロント部及びテンプル部の一方に形成された受け穴と、フロント部及びテンプル部の他方にあって受け穴に挿入される突出部と、フロント部及びテンプル部よりも柔軟性がある材料からなる保持部材と、を有し、突出部は、保持部材とともに受け穴に挿入された状態で、受け穴に取り外し可能に保持されるものである。
【００１９】
本発明によれば、上記した本発明のメガネフレームと同様に、テンプル部及びフロント部の交換性及び受け穴の加工性を向上できるだけでなく、受け穴の壁面が磨耗することを抑制できる。
【００２０】
本発明の眼鏡は、上記した本発明のメガネフレームを備えたものである。
【００２１】
参考例のアクセサリーは、第１の部材に第２の部材を連結手段により連結したものにおいて、連結手段が、第１の部材に形成された受け穴と、第２の部材にあって受け穴に挿入される突出部と、第１の部材及び第２の部材よりも柔軟性がある材料からなる保持部材と、を有し、突出部は、保持部材とともに受け穴に挿入された状態で、受け穴に取り外し可能に保持されるものである。
【００２２】
参考例によれば、第１の部材に鼈甲等の素材を用いた場合であっても、上記した本発明のメガネフレームと同様に、第１の部材及び第２の部材の交換性を向上することができる上、第１の部材の受け穴の加工性及びその壁面の磨耗を抑制することができる。
ここで、アクセサリーとしては、例えば、ブローチ、ペンダント、イヤリング、ピアス、ブレスレット、髪留め、ルーペ、ストラップなどが挙げられる。
【発明の効果】
【００２３】
本発明のメガネフレーム及び眼鏡によれば、受け穴に保持部材を挿入するので、鼈甲等の素材をフレーム素材に用いた場合でも、磨耗を抑制しつつ、加工性及び交換性を向上することができる。
【発明を実施するための最良の形態】
【００２５】
以下、添付図面を参照して、本発明の好適な実施形態に係るメガネフレームを備えた眼鏡について説明する。なお、眼鏡の構成は左右対称であるため、以下では、左側の部品を中心に説明し、右側の部品については説明を適宜省略する。
【００２６】
図１に示すように、眼鏡１は、メガネフレーム２及び左右一対のレンズ３，３を備えている。メガネフレーム２は、レンズ３，３を左右に装着した一つのフロント部１０と、装着者の耳にかけられる左右一対のテンプル部１２，１２と、を備えている。
【００２７】
フロント部１０は、レンズ３、３の全周をそれぞれ固定するリム枠１４，１４と、リム枠１４，１４の内側部位同士を連結するブリッジ１６と、リム枠１４，１４の内側部分から後方に突出した鼻当て１８，１８と、で一体に形成されている。
テンプル部１２，１２は、フロント部１０の後方に延びており、ヒンジ２０，２０によって、フロント部１０に対し開閉可能に構成されている。
【００２８】
フロント部１０及びテンプル部１２、１２の素材は、プラスチック、金属及び自然素材など様々なものを用いることができ、例えば、セルロイド、ナイロン、ニッケル合金、チタン、アルミニウム、ステンレス、鼈甲、動物の角（ホーン）、木、竹、及びアセテートを用いることができる。本実施形態のメガネフレーム２は、鼈甲、動物の角、木及び竹といった自然素材や、アセテートを素材として用いる場合に好適なものである。以下では、鼈甲を用いてフロント部１０及びテンプル部１２、１２を形成した場合について説明する。
【００２９】
図２及び図３に示すように、ヒンジ２０は、リム枠１４に固定された固定ヒンジ片３２と、固定ヒンジ片３２に対して可動する可動ヒンジ片３４と、固定ヒンジ片３２と可動ヒンジ片３４とを連結するネジ３６と、可動ヒンジ片３４から突出する突出棒３８と、を備えている。ここでは、ヒンジ３０の素材として金属が用いられている。
【００３０】
固定ヒンジ片３２は、正面側をリム枠１４の外側部分の後面１４ａに例えば接着剤で固定される。固定ヒンジ片３２の背面側には上下一対の突片が形成されており、この一対の突片が可動ヒンジ片３４の一部を挟み込んだ状態でネジ３６によって共締めされている。これにより、可動ヒンジ片３４がネジ３６を中心に回動可能に構成され、テンプル部１２の開閉が可能となっている。
【００３１】
可動ヒンジ片３４は、平面視Ｌ字状のＬ字片を有しており、Ｌ字片の一辺を構成する側面３４ａが前後方向に延在し、もう一辺を構成する背面３４ｂが左右方向に延在している。
【００３２】
突出棒３８は、可動ヒンジ片３４の背面３４ｂからこれと一体にテンプル部１２に向かって延びている。突出棒３８は、断面が正円の丸棒状からなり、テンプル部１２の長さよりも十分に短いものとなっている。一例を示すと、突出棒３８の長さは、約２ｃｍであり、テンプル部１２の長さの１／５〜１／７程度である。このように構成された突出棒３８は、保持チューブ５０を装着されて、テンプル部１２に形成した受け穴６０に挿入される。
【００３３】
保持チューブ５０（保持部材）は、円筒状からなり、例えば１ｍｍ程度の肉厚を有している。保持チューブ５０の長さは、突出棒３８と同じ長さである。このため、保持チューブ５０を突出棒３８の先端側から装着する際には、ヒンジ２０の背面３４ｂが保持チューブ５０の端面を受けるストッパとして機能する。
【００３４】
保持チューブ５０は、突出棒３８及びテンプル部１２の材料よりも柔軟性、伸縮性及び弾力性がある材料からなる。この種の材料としては、例えばシリコン及び塩化ビニールが挙げられるが、突出棒３８及びテンプル部１２との密着性の高さを重視すれば、シリコンを用いることが好ましい。
【００３５】
保持チューブ５０の内径は、突出棒３８の外径よりも僅かに小さい。このため、保持チューブ５０は、その内部に突出棒３８を押し込まれるようにしてこれに装着される。そして、突出棒３８を装着された状態では、保持チューブ５０は径方向に拡げられることになる（図３参照）。このような保持チューブ５０の変形を確保する程度に、保持チューブ５０は柔軟性、伸縮性及び弾力性を有するとよい。なお、保持チューブ５０は透明又は半透明であるので、図３に示すように、保持チューブ５０の内部における突出棒３８の位置は外部から確認することができる。
【００３６】
図４に示すように、受け穴６０は、テンプル部１２の一方の端面１２ａからテンプル部１２内の途中まで延びる凹所として形成されている。受け穴６０は、深さ及び幅が異なる二つの穴６２，６４を深さ方向に連続して形成してなり、比較的深くて幅狭の保持穴６２が比較的浅くて幅広の座ぐり穴６４の奥側に形成されている。このような段付きの受け穴６０は、ドリル等により穴あけ加工を行うことで形成される。
【００３７】
保持穴６２は、有底の円筒状からなる。また、保持穴６２は、突出棒３８及び保持チューブ５０に対応して形成されており、これらの長さと同じ深さ（長さ）を有している。ここで、保持穴６２の内径は、突出棒３８の外径及び保持チューブ５０の内径よりも大きいが、突出棒３８の外周に保持チューブ５０を装着したときのこれらの外径よりか僅かに小さいものとなっている。
【００３８】
したがって、突出棒３８及び保持チューブ５０は、それぞれ単独で保持穴６２に挿入された場合には、保持穴６２に保持されないため、自由状態では保持穴６２から容易に抜け落ちることになる。
一方、突出棒３８が保持チューブ５０とともに保持穴６２に挿入される場合、保持チューブ５０は、保持穴６２の内壁６６からの反力に抗しながら挿入され、柔軟性により径方向内側に変形させられる。そして、挿入状態では、保持チューブ５０が内壁６６に強く密着して、突出棒３８及び保持チューブ５０が、自由状態で保持穴６２から抜け落ちることを阻止される。
【００３９】
また、保持された突出棒３８及び保持チューブ５０は、自由状態のときよりも十分に大きい力で引き抜かれることで、保持穴６２から取り外せるようにもなっている。この取り外し時には、保持チューブ５０は、内壁６６からの反力に抗しながら、突出棒３８と一緒に保持穴６２から抜き出されることになる。
【００４０】
座ぐり穴６４は、断面が方形からなり、可動ヒンジ片３４のＬ字片を収容する深さと幅を有している。座ぐり穴６４の中心は、保持穴６２の中心と同じであってもよいが、保持穴６２の中心よりも僅かに外側（左右方向の外側）に位置するとよい。座ぐり穴６４は、内側の側壁を除く三つの側壁７０，７１，７２と、三つの側壁７０，７１，７２の一端に連続し且つこれらと直交する底壁７４と、を有している。
【００４１】
底壁７４は、可動ヒンジ片３４の背面３４ｂの周縁部を当接される。この当接となるまで突出棒３８及び保持チューブ５０を受け穴６０に押し込むことで、受け穴６０に対する突出棒３８及び保持チューブ５０の挿入の最終位置が規定される。
【００４２】
この最終位置での挿入状態では、図５に示すように、ヒンジ２０は、可動ヒンジ片３４が座ぐり穴６４に隠蔽されて、固定ヒンジ片３２の外面だけが外部から視認可能となる。また、この挿入状態においてヒンジ２０を介してテンプル部１２を閉じた場合、固定ヒンジ片３２の内側部分の一部が、座ぐり穴６４の内側の開放した側壁からこれに収まることになるようになっている。すなわち、座ぐり穴６４の内側の側壁を切り欠いておくことで、ヒンジ２０が受け穴６０でつかえることなく、テンプル部１２を開閉することができる。
【００４３】
ここで、本実施形態では、座ぐり穴６４は方形からなり、この方形の大きさと整合するように、可動ヒンジ片３４の背面３４ｂ側は外形が方形からなるので、最終位置での挿入状態では、ヒンジ２０に対するテンプル部１２の回転が阻止されることとなる。すなわち、ヒンジ２０の背面３４ｂ側の外形を係合部とし、且つ、座ぐり穴６４を係合受け部とする回止め手段が形成されており、最終位置での挿入状態でこの両者が係合することで、テンプル部１２が回止め状態となる。これにより、テンプル部１２がヒンジ２０に対しがたつくことを防止される。
【００４４】
以上説明した眼鏡１の作用効果について述べる。
先ず、保持チューブ５０を用いてヒンジ２０にテンプル部１２を連結した状態（最終位置での挿入状態）では、保持チューブ５０が受け穴６０の内壁６６及び突出棒３８に対してクッションのように接触する。これにより、鼈甲製の内壁６６と金属製の突出棒３８との直接接触を回避できるので、直接接触に起因する内壁６６の磨耗を防止することができる。
【００４５】
また、この連結状態では、突出棒３８が保持チューブ５０を介して保持穴６２に保持されているので、接着剤を不要にできる上、例えば人の歩行動作等によって眼鏡１に振動が加わっても、受け穴６０から落ちることを阻止することができる。加えて、保持穴６２の深さを比較的大きくしなくても済む。これにより、テンプル部１２の素材として鼈甲を用いた場合であっても、損傷することなく、受け穴６０を加工することができる。
【００４６】
一方で、突出棒３８は、保持チューブ５０とともに受け穴６０から抜き出されることを許容しているので、テンプル部１２をヒンジ２０やフロント部１０に対して別体として取り扱うことができる。これにより、テンプル部１２をそれ単体で交換することができると共に、ヒンジ２０及びフロント部１０をまとめて交換することができる。このため、メガネフレーム２の各パーツの修理が容易である。
【００４７】
また、鼈甲製のテンプル部１２の受け穴６０は経時的に縮むので、保持穴６２の内径も縮径される傾向がある。これにより、保持穴６２での保持チューブ５０の密着性を経時的に高めることもでき、突出棒３８及び保持チューブ５０は経時的にも受け穴６０から脱落し難くなる。
【００４８】
さらに、ヒンジ２０へのテンプル部１２の取り付けは、保持チューブ５０を装着した突出棒３８を受け穴６０に押し込むだけでよいので、取付け作業を簡素化することができる。しかも、取付け後は、図５に示す外方向からの側面視において、ヒンジ２０の大部分が外部に露出しない。したがって、フロント部１０とテンプル部１２の一体感が高まり、デザイン性も向上させることができる。
【００４９】
＜変形例＞
次に、上記した実施形態に係る眼鏡１の変形例について説明する。
【００５０】
突出棒３８を四角柱の棒状に形成し、これに対応して保持チューブ５０を四角筒状に形成し、受け穴６０の保持穴６２の断面を四角形としてもよい。こうすることで、突出棒３８及び保持穴６２がテンプル部１２の回止め手段として機能するので、例えば受け穴６０に座ぐり穴６４を形成しなくて済む。ただし、加工のし易さ等を考えれば、上記した実施形態のように、保持穴６２の断面を円形にすることが好ましい。
【００５１】
受け穴６０に挿入するヒンジ２０側の突出部としては、上記した突出棒３８以外に、例えば板状のものを用いることもできる。ただし、この場合も、保持穴６２の加工のし易さを考慮すれば、突出部は円柱状であることが好ましい。
【００５２】
保持チューブ５０は、突出棒３８と一緒に受け穴６０から取り外されるのではなく、挿入後は保持穴６２に収納され続けてもよい。すなわち、交換等のために、突出棒３８を保持穴６２から引き抜いても、保持チューブ５０が保持穴６２の内壁に密着し続けるものであってもよい。
【００５３】
メガネフレーム２として、いわゆるフルリムタイプのものを用いたが、リム枠１４の下側部分がないハーフリムタイプ、あるいはリム枠１４自体がないリムレスタイプのフロント部１０としてもよい。
【００５４】
ハーフリムタイプの場合には、フロント部１０が、左右一対のブローバー部のほか、ブリッジ１６及び鼻当て１８，１８を有することになる。この場合、ブローバー部にヒンジ２０が固定されることになる。
リムレスタイプの場合には、メガネフレーム２がテンプル部１２のみからなり得る。この場合には、レンズ３にヒンジ２０の固定ヒンジ片３２が固定されることになる。
【００５５】
また、メガネフレーム２として、フロント部１０を連結手段によりテンプル部１２に連結しつつも、フロント部１０に対しテンプル部１２が開閉しないようにしたものを用いることもできる。この場合、連結手段は、テンプル部１２の受け穴６０と、フロント部１０に固定した連結具の突出棒３８と、保持チューブ５０と、を備えるものであれば、上記した実施形態と同様の作用効果を奏することができる。例えば、テンプル部１２及びフロント部１０の交換性及び受け穴６０の加工性を向上しつつ、受け穴６０の内壁６６の磨耗を防止することができるという作用効果を奏することができる。
【００５６】
なお、連結手段は、フロント１０に形成した受け穴と、テンプル部１２に固定した連結具の突出棒と、保持チューブ５０と、を備えるものであってもよい。
【００５７】
＜参考例＞
次に、メガネフレーム２における連結構造を利用したアクセサリーについて説明する。このアクセサリーとしては、例えば、ブローチ、ペンダント、イヤリング、ピアス、ブレスレット、髪留め、ルーペ、ストラップなどが挙げられる。ここでは、イヤリングを一例に説明する。
【００５８】
イヤリングは、鼈甲等から形成された装飾体（第１の部材）と、装飾体を保持する保持体（第２の部材）と、保持体に直接又は他の部材を介して取り付けられた耳たぶ装着部と、を有する。耳たぶ装着部が人の耳たぶを挟持することで、イヤリングが人の耳に取り付けられる。装飾体の素材は、代表的には鼈甲であるが、もちろん、上記したフロント部１０及びテンプル部１２、１２の各素材を用いることができる。そして、同様に、装飾体の素材は、鼈甲、動物の角、木、竹及びアセテートであることが好適である。一方、保持体の素材は、特に限定されるものではなく、鼈甲等のほか、金属を用いることができる。
【００５９】
このような装飾体と保持体とは、上記と同様の連結手段によって連結することができる。具体的には、連結手段は、装飾体に形成された受け穴と、保持体にあってこの受け穴に挿入される突出部と、この受け穴に挿入される保持部材と、を含む。そして、受け穴、突出部及び保持部材は、上記した受け穴６０、突出棒３８及び保持チューブ５０と同様に形成することができると共に、これらの変形例や追加的な構造（回止め手段など）も適宜適用することができる。また、突出部は、保持体と一体又は保持体に固定された他の部材に形成することができる。
【００６０】
したがって、参考例のイヤリングによれば、装飾体に鼈甲等の素材を用いても、その受け穴の加工性を向上することができるとともに、受け穴の内壁面の磨耗を抑制することができる。加えて、連結構造に接着剤を用いないので、保持体や耳たぶ装着部に対して装飾体を別体として取り扱うことができ、装飾体及び保持体をそれぞれ単体で交換することができる。
【図面の簡単な説明】
【００６１】
【図１】実施形態に係る眼鏡の斜視図である。
【図２】図１の眼鏡について、ヒンジ、保持チューブ及びテンプル部を分離して示す部分拡大斜視図である。
【図３】図１の眼鏡について、保持チューブを途中まで装着されたヒンジの突出棒とテンプル部とを分離して示す部分拡大斜視図である。
【図４】実施形態に係る眼鏡のテンプル部を示す図であり、（ａ）は正面図、（ｂ）は（ａ）のＢ−Ｂ線で切断した部分断面図、及び（ｃ）は（ａ）のＣ−Ｃ線で切断した部分断面図である。
【図５】図１の眼鏡の側面図である。
【符号の説明】
【００６２】
１：眼鏡、２：メガネフレーム、３：レンズ、１０：フロント部、１２：テンプル部、２０：ヒンジ、３４ｂ：背面（係合部）、３８：突出棒（突出部）、５０：保持チューブ（保持部材）、６０：受け穴、６２：保持穴、６４：座ぐり穴（係合受け部）、６６：内壁
【図１】
0004657321.tif 000002
【図２】
0004657321.tif 000003
【図３】
0004657321.tif 000004
【図４】
0004657321.tif 000005
【図５】
0004657321.tif 000006